(57)【要約】      （修正有）【課題】樹脂骨格の幟凧を凧揚げ運動に使うに際して、しなりが握る強さで変化し、防災品としてＳＯＳの旗に使うのに便利な凧揚げハンドルを提供する。【解決手段】ほぼ長方形の透明な樹脂板の中心部から上端にかけて縦方向の長穴９を有した凧揚げハンドル３であって、握る側に指が入る穴６を設け、先端側に糸目糸２を介して幟凧を繋ぎ、握る強さで曲げ剛性が変化する。【選択図】図２
2018015169.tif 000002
【特許請求の範囲】
【請求項１】
弾性を有する透明な樹脂製の板材によって構成され、この板材の先端部に糸目糸を介して幟凧を連結する連結穴が設けられ、またこの板材の後端部に板材を手で把持する際に指が懸かる穴が設けられ、この板材はほぼ長方形を成し、この板材の中央部から上方にかけて両端を半円とする長穴が設けられていて、前記板材の後端から先端までの寸法は前記幟凧の骨格の幅方向の寸法とほぼ同じ長さである凧揚げハンドル。
【発明の詳細な説明】
【技術分野】
【０００１】
本発明は、屋内で幟凧を繋いで凧揚げ運動に使う凧揚げハンドルであり、非常時には屋外で幟凧を繋いでＳＯＳの信号として使う凧揚げハンドルに関する。
【背景技術】
【０００２】
従来の凧揚げハンドルは、竿の根元に糸巻きを有する凧揚げ竿があるが、幟凧に用いるには構造が複雑すぎ、大型過ぎるものであった。また大きな掲示物の説明などに使う振り出し型の指示棒で凧揚げハンドルとして使えるものにあっては、しなりが無くて楽に効果的に凧揚げ運動に使えるものではなかった。
【先行技術文献】
【特許文献】
【０００３】
【特許文献１】特許第５４３１８８３号
【発明の概要】
【発明が解決しようとする課題】
【０００４】
以上に述べた従来の凧揚げ竿にあっては、屋内で幟凧を使った凧揚げ運動を行うには構造が複雑すぎるという不具合があり、同幟凧を薄く小さく畳んだものと一緒に収納が出来ないという欠点があった。また振り出し型の指示棒ではこれに繋止した幟凧に大きな弧を描いて揚げさせることが難しいという不具合があり、収納時の形状が円筒状で薄く畳んだ幟凧と一緒に収納するに際しては収まりが悪いという欠点があり、また非常用のＳＯＳの連絡に使うには落としやすく、使いにくいという問題があった。
本発明は、このような従来の構成が有していた問題を解決しようとするものであり、凧揚げハンドルに糸目糸を介して繋いだ幟凧を凧揚げハンドルの小さな動きで大きな弧を描いて空中に遊泳させることが出来、収納した際には飾り凧としても、携帯するにも、畳んで収納するにも邪魔にならず糸目の調整をその都度やり直さなくても済む凧揚げハンドルを提供し非常時のＳＯＳの連絡にも有効な凧揚げハンドルを実現することを目的とするものである。
【課題を解決するための手段】
【０００５】
そして、本発明は、弾性を有する透明な樹脂製の板材によって構成され、この板材の先端部に糸目糸を介して幟凧を連結する連結穴が設けられ、またこの板材の後端部に板材を手で把持する際に指が懸かる穴が設けられ、この板材はほぼ長方形を成し、この板材の中央部から上方にかけて両端を半円とする長穴が設けられていて、前記板材の後端から先端までの寸法は前記幟凧の骨格の幅方向の寸法とほぼ同じ長さである凧揚げハンドルとした。
【０００６】
なおこの例では厚さ１．０ミリメートルの弾性がある透明な樹脂板を使用し、その板材の先端部の穴径は５ミリメートル、後端部の穴径は４０ミリメートルとした、また板材は長方形として横幅８センチメートル、全長は幟凧の骨格の横幅即ちＡ４版の長手の寸法とほぼ同じであり、板材の４隅に半径２０ミリメートルの隅取りを施した。板材の中央部から上方にかけて設けられた長穴は幅を１０ミリメートルとし端部を半円形とした。なお板材の先端部の隅取り部に直径５ミリメートルの穴を設けてこれに目立つ色のリボンを通して結んだ。
【０００７】
上記の課題解決手段による作用は次の通りである。ハンドルを把持した手に幟凧を加速させる力を感じて強く握ると手前側の親指の先端と向う側の中指と人差し指の先端と人差し指の付け根部分の各力点の働きでハンドル断面をＶ字形状に曲げてハンドルの曲げ剛性が高くなり、ハンドルが曲がりにくくなる。また幟凧が動き出して加速に要する力が弱まると自然に握る力が弱まりハンドル面のＶ字形状の曲がりが平面状に戻り、板材の曲げ剛性が低くなってハンドルが大きく曲がり、曲がったハンドルに歪エネルギーが蓄えられ、加速が終了すると、同ハンドルの歪エネルギーが放出されて、大きく曲がったハンドル面を一気に復元させ、ボール投げに譬えればスナップが効いた動きを糸目糸を介して幟凧に伝える、このタイミングで手首を返しながら腕を伸ばして大きく振ることで腕とハンドルと幟凧の糸目糸が直線状になって幟凧を天井の近くまで送り、糸目糸をひばり結びになっている部分で調節して幟凧骨格の前方領域の迎角を決め、幟凧をゆらゆらと波打たせながら高く遊泳させることが出来る。なお幟凧の糸目糸を留めるにはビニールの帯状の被覆が施してある一般に園芸に用いる針金部材を使用することが好ましい。また先端部の両側に設けられた穴に目立つ色のリボンを通して結ぶことが出来、近付いた人の目を保護する作用がある。
【発明の効果】
【０００８】
上述したように本発明の凧揚げハンドルは屋内に於いて幟凧を繋いで運動を優雅に行うことができ、屋外では行事の案内等に使うことが出来、非常時にはＳＯＳの信号に使うことが出来、幟凧をハンドルに繋いだまま壁飾りとして保管することが出来ると言う効果がある。
【０００９】
また幟凧を凧揚げ運動に使うに際してはしなりが効く凧揚げハンドルの一寸した取り扱いのこつで目に見える結果が出て運動を続ける成果が実感できるという効果がある。
【００１０】
またこの幟凧を壁飾りとして保管するに際しては幟凧の糸目にハンドルが付いたまま壁に吊り下げてもハンドルの後ろ側の図柄が透けて見えてハンドルがさほど邪魔にならないという効果がある、
【００１１】
また幟凧を平板状に巻き取って収納するに際してはハンドルから凧の糸目を外すことなく幟凧と同梱して携帯でき、壁飾りにしても、折り畳むにしても、その都度幟凧の糸目の調整をやり直さなくて済むという効果がある。
【００１２】
また帯状のビニール被覆の針金部材は連結穴に針金部材を差し込みやすく、針金部材の剛性も指で捩じって固定するのに適当であり、咄嗟に簡単に確実に着脱を行うことができると言う効果がある。
【００１３】
また非常時にＳＯＳの旗として使う際には、凧揚げハンドルは肩の高さでも幟凧が頭上に横向きの大きな８の字を描き続けるので疲れにくく、また幟凧が光を良く反射してヘリコプターなどからの視認性を高めることが出来ると言う効果がある。
【００１４】
凧揚げハンドルを非常用に使う際には特に、板材の後端部を手で把持するだけで、後端部にあけられた穴に自然に指が掛かるために、紐などのストラップを用いた際の様なかけ忘れが無く幟凧をハンドルごと風で飛ばされるという心配が無いという効果がある。
【００１５】
以上のように本実施形態によれば凧揚げ運動を行うに際してハンドルを摘んだ人差指と中指と親指の力具合によってハンドルの面の曲げ剛性の増減が出来て、手首を返すタイミングとの兼ね合いで無駄に体全体を動かすことなく、小さな動作で大きな幟凧の揺らぎを得ることが出来るという効果がある。
【００１６】
コツを会得すれば幟凧に天井に近い上方において幅方向で両腕を拡げた２倍以上の大きな揺らぎを演出出来、これによって技量の進歩を楽しみながら凧につられて自宅で毎日自発的に凧揚げ運動を実行できると言う効果がある。また例えば幟凧の上部に龍の図柄を印刷すれば、登り龍に見立てた運動となり、その下に七福神の図柄を印刷すれば運動の間中七福神の笑顔が体操する人に対面して揺らぎながら笑顔を誘ってくれるという効果があり、幟凧を持ち寄って七福神のコミュニティー作りを促すという効果がある。また幟凧に罫線を引いた書き込める領域を印刷すれば仲間内で雲に落書きのイメージで寄せ書きをしたくなるという効果がある。
【００１７】
また、公共行事の体操指導やラジオ体操、テレビ体操等にはできない自由な時間に、飾り凧として壁にかけてある幟凧とハンドルのセットを取り上げて気軽に自発的に運動が出来、毎日自宅で継続したくなる運動を普及させて実効のあがる運動として健康を促進し、健康保険財政の実質的な健全化に役立つという効果がある。またバランスをとることで反射神経を鍛える大脳トレーニングを兼ねた運動になり、痴呆防止にも役立ち、健康寿命を延ばす働きも出来ると言う効果がある。
【００１８】
また、毎日出来る凧の運動に止まらず、コツがわかると一人でも華やかな運動を何人かで集まって揃ってやりたくなる効果があり、大きな部屋に華やかで壮大な登り龍の乱舞を出現させて、自然発生的な自由な集まりで顔見知りが増えて地域の防犯、防災にも役立つという効果がある。
【００１９】
また凧を持って集まると、阪神淡路大震災のように、大震災の際には声を掛けて貰って助かりたい同士が互いの幟凧に油性ペンで名前を寄せ書きしあって、毎日運動に使い、置き場として壁に飾ってある幟凧にお互いの名前が残り、とっさの時に名前をド忘れされないので安心だという効果がある。
【００２０】
また凧平塚で検索するとトップに出るホーム頁のトイレ１分間体操などを参考に仲間内のオリジナルの運動を工夫して、凧揚げ運動に追加を促し、心身のケアが出来るという効果がある。
【００２１】
また集まって幟凧を振った後は意匠１５３１８１０号の幟凧の巻き芯を三角柱状に立ててゲーム感覚でお互いの暮らしに便利なアイデアを出すことができる。互いに異なる人生経験の人が集まって、コンピューターのランを組むように右脳のランを組むゲームを行い、お互いの異なる人生経験が言わせる単語をヒントに出し合いながら各人の右脳が担当する潜在意識に引き渡して特許レベルのアイデアを産みだす閃きに繋げるきっかけにできるという効果がある。
【００２２】
また凧揚げ体操で集まることで少子高齢化時代の就労できない人達が暮らしの実感から生まれたアイデアを出して社会参加ができる。これを自己満足に終わらせず特許という方法で広く社会に提供できるきっかけにできるという効果がある。
【００２３】
また凧揚げ体操で生まれた雰囲気の中からニーズ調査などには出来ない、出来てみてああこれが欲しかったんだと気が付いて貰えるウオンツと呼ばれるような実用的な、暮らしに役立つものを社会に提供するきっかけにできるという効果がある。
【００２４】
またお茶の間凧揚げ運動で、しなりが効くハンドルが特許第３６６８８９０号と特許第５９５０３４７号の幟凧の特性を引き出すことを手で感じ取れることから、集まった人達の新商品開発の感性を磨くきっかけにできるという効果がある。
【００２５】
また、就労できない人達のコミュニティーに止まらず、凧揚げ運動から始まる交流会を各企業の職場のコミュニティーに拡げて企業が抱えている社内の情報の氾濫という左脳偏重の弊害を解消でき、長時間労働、ハラスメント、ポカ休み、自殺等々多くの悩みを解消し、更に進んで異業種のコミュニティーとの交流もできて、結果として、議論していては出来なかった一億総活躍社会や、男女共同参画社会の実効を上げるきっかけにできると言う効果がある。
【００２６】
また凧揚げ運動から始まる交流会はコミュニティー間に自然な男女の出会いができて晩婚から来る出産のリスクを避け、若い男女に早期の出会いの機会を与えて少子高齢化の根本の対策とすることができる。本発明による凧揚げハンドルの微妙な動きによってこれまで会議や議論やリーフレットでの呼びかけでは出来なかったことを、さりげなくあっさりと実現するきっかけにできるという効果がある。
【図面の簡単な説明】
【００２７】
【図１】幟凧の糸目にハンドルを繋いで凧揚げ運動をしている立面図。
【図２】凧揚げハンドルの後端部を軽く把持している状態を示す平面図。
【図３】凧揚げハンドルの後端部を強く把持している状態を示す側面図。
【図４】凧揚げハンドルの後端部を把持する力を緩めた状態の側面図。
【図５】凧揚げハンドルのしなりが戻った状態を示す側面図。
【図６】幟凧とハンドルを繋いだまま壁飾りとして収納した状態を示す立面図。
【図７】ハンドルを折り畳んだ幟凧と重ねて収納した状態を示す平面図。
【図８】指示棒の平面図。
【発明を実施するための形態】
【００２８】
以下、本発明の実施の形態を図１〜図８に基づいて説明する。
図においては、１は凧揚げハンドルに糸目糸を介して繋いだ幟凧に凧揚げハンドルで大きな弧を描かせ空中に浮遊させて凧揚げ運動を実施中の立面図である。
【００２９】
２はハンドルを軽く把持した状態を示している。
【００３０】
３は凧揚げハンドルの後端部を強く把持してハンドル断面を変形させ、曲げ剛性を高めた状態で糸目糸を介して幟凧を引き寄せ加速させている状態を示す側面図である。
【００３１】
４は凧揚げハンドルの後端部を把持していた力が弱まって凧揚げハンドルの曲げ剛性が弱まり、大きくしなった状態を示す側面図である
【００３２】
５はいったん大きくしなった凧揚げハンドルに溜まったエネルギーが放出されてスナップを効かせたボール投げのように戻っていく状態を表す側面図である。
【００３３】
６はハンドルを糸目に繋いだままの状態で幟凧を壁面等に飾り凧として吊り下げて収納した状態を示す正面図である。
【００３４】
７は幟凧を巻き芯に巻いて収納した面にハンドルを乗せて同梱し、持ち歩けるようにした状態を示している。
【００３５】
８は従来技術の例として挙げた指示棒の平面図である。
【００３６】
以下、上記構成の動作を説明する。立って幟凧の凧揚げ運動をする人の腕と反対側の脇から凧揚げハンドル３を、例えば凧揚げハンドルを右手に持った時は、武士が腰に下げた刀を左の腰から引き抜くような仕草で糸目糸を介して繋がれた幟凧１を天井に向かって跳ね揚げる。揚がった幟凧は体の右側の上方前方から体の右後ろ側に降りてくる。このようにして巨大な横向きの８の字を描いてゆらゆらと凧揚げ運動を続けて行くものである。
【００３７】
この運動の中で凧揚げハンドルが幟凧の骨格の幅とほぼ同じ長さであっても、握り方で強く把持するとハンドルの長穴９及び１０の影響で各力点１２が凧揚げハンドルの面を図３のように親指の方にＶの字型に大きく曲げて腰が強い竿のような働
きをさせ、弱く把持すると図４のようにしなりやすくなってスナップが効いた釣り竿
のように働く凧揚げハンドルを得るものである。
【００３８】
この凧揚げハンドルの特性に加えて、手首の返しのタイミングや腕の伸ばし方や振り方など慣れを要する要素が多々あって、ラジオ体操などと根本的に違ういつでもどこでも出来る運動という特徴に加えて、段々上手になるという特徴があり、進歩が目に見えて飽きさせない凧揚げ運動用の凧揚げハンドルとなるものである。
【００３９】
また柔らかな樹脂骨格の幟凧は安全であるが、更にハンドルも先端両側にリボン１１を結んで子供などが近づいた際にも咄嗟に目をつむれるような安全上の働きがあるものである。
【００４０】
幟凧の糸目糸２はひばり結びの部分で幟凧の上下方向に調節が効くので幟凧の骨格の幅方向の中央に設けられた糸目糸の調節部分で微妙に調節することで幟凧の揺らぎに影響を及ぼし、最適の位置を試行錯誤で発見し、ひばり結びの個所を強く引いて固定する幟凧の構造である為にこの一度選択した糸目の位置を動かさないで扱えるのがこのハンドルの大きな特徴とするものである。
【００４１】
この凧揚げハンドルの構造によって幟凧を壁飾りとして糸目を調節せずに固定したまま一緒に凧の図柄の邪魔にならずに吊り下げておけて、運動に使用していない時にも心身を壮快にする右脳を使った頭の体操を促すという働きがあるものである。
【００４２】
壁飾りになっている幟凧をいつでも糸目の調節を必要とせずに取り上げてすぐ凧揚げ運動が出来ると言う働きがあるものである。
【００４３】
また、三角柱状に立ってマニュアルになっている幟凧の巻き芯を畳んで、これに幟凧を小さく薄く巻き畳む際に、この凧揚げハンドルを重ね合わせて収納でき、自分にあった糸目調節が出来たままノートサイズに畳んで交流会に持ち寄ったり、振りながら思い出す交友録として本棚等に保管をすることができるものである。
【００４４】
また非常時のＳＯＳの連絡にも疲れずに振り続けることができ、ストラップ等の紐を使わずにハンドルの後端部の穴６に自然に指が掛かるために、紐をかけ忘れて幟凧を風にハンドルごと飛ばされるというような不具合を起こさずに操作できるものである。
【符号の説明】
【００４５】
１    幟凧
２    糸目糸
３    凧揚げハンドル
４    針金部材
５    幟凧を連結する連結穴
６    板材を手で把持する際に指が懸かる穴
７    隅取り
８    リボンを通して結ぶ穴
９    長穴
１０  両端を半円とする長穴の端部
１１  リボン
１２  強く握った親指に対してハンドルをＶ字形状に曲げる各力点
１３  登り龍の図柄の例
１４  七福神の図柄の例
１５  寄せ書き用スペースの例
１６  背景技術の指示棒
【図１】
2018015169.tif 000003
【図２】
2018015169.tif 000004
【図３】
2018015169.tif 000005
【図４】
2018015169.tif 000006
【図５】
2018015169.tif 000007
【図６】
2018015169.tif 000008
【図７】
2018015169.tif 000009
【図８】
2018015169.tif 000010